(57)【要約】【課題】反りを抑制することができるのに加え、作製が容易であり、かつ枠体のハンドリング性能が向上する建具用パネルを提供すること。【解決手段】枠体２は、その長手方向に延びる２本一組の第１桟材４と、枠体の短手方向の端縁に配置された２本一組の第２桟材５とを備え、第２桟材は、第１桟材の長さ方向の両端部４ａ、４ｂのそれぞれに接続され、第１桟材は、第１木質材６、第２木質材７および金属製平板８から形成され、金属製平板が第１木質材と第２木質材の間に挟まれ、第１木質材から第２木質材に架け渡すように貼り付けられる粘着テープ９によって第１木質材、金属製平板および第２木質材が固定されて一体となり、第１桟材が形成されている。【選択図】図１
2016166468.tif 000002
【特許請求の範囲】
【請求項１】
外形が長方形形状である枠体と、
この枠体の表裏両側に取り付けられ、前記枠体の外形と同一の外形形状を有する板状の面材とを備えた建具用パネルにおいて、
前記枠体は、その長手方向に延びる２本一組の第１桟材と、前記枠体の短手方向の端縁に配置された２本一組の第２桟材とを備え、この第２桟材は、前記第１桟材の長さ方向の両端部のそれぞれに接続され、
前記第１桟材は、第１木質材、第２木質材および金属製平板から形成され、
前記金属製平板が前記第１木質材と前記第２木質材の間に挟まれ、前記第１木質材から前記第２木質材に架け渡すように貼り付けられる粘着テープによって前記第１木質材、前記金属製平板および前記第２木質材が固定されて一体となり、前記第１桟材が形成されている
ことを特徴とする建具用パネル。
【請求項２】
前記金属製平板は、その厚さ方向が、前記第１桟材の長さ方向に直交する幅方向と一致させて前記第１桟材に配置されていることを特徴とする請求項１に記載の建具用パネル。
【請求項３】
前記粘着テープが透水性を有することを特徴とする請求項１または２に記載の建具用パネル。
【請求項４】
請求項１から３のいずれか一項に記載の建具用パネルを基材として有して形成されていることを特徴とする建具。
【発明の詳細な説明】
【技術分野】
【０００１】
本発明は、住宅などの内装ドアや開閉壁などの建具の基材となる建具用パネルと、この建具用パネルを用いた建具に関する。
【背景技術】
【０００２】
住宅などの、たとえば内装ドアや開閉壁などの建具の基材として用いられる建具用パネルの構造については、棒状の木材によって枠を組み、この枠の表裏両側に木質などの平板を貼り付けたフラッシュ構造が古くから知られている。具体的には、長尺な２本一対の第１桟材と短尺な２本一対の第２桟材とを組み合わせて枠体の外周部が形成される。この枠体の内部に、ボール紙などの吸放湿性を有する素材からハニカム状に形成された、強度をも有するハニカムコアが挿入され、前記枠体の表裏両側に表面化粧などが施される板状の面材が取り付けられたのが前記フラッシュ構造である。
【０００３】
一般に、前記第１桟材および前記第２桟材、そして前記面材には、木質材が用いられている。たとえば、前記第１桟材には、その長さ方向の剛性を高めるためにLVL(Laminated Veneer Board: 単板積層材)が、また、前記第２桟材には、前記LVLの他、PB(Particle Board: パーティクルボード)、合板などが用いられることが多い。LVLは、その積層面が前記第１桟材の、長さ方向に直交する幅方向と平行となるように配置される。その理由は、LVLが前記第１桟材の長さ方向に使われることによって、長さ方向に直交する幅方向に積層面が配置される場合比べ、幅方向の反りが小さくなるという利点による。
【０００４】
前記面材には、その表面に化粧用のプラスチック製や紙製などの化粧シートが貼着される。しかも、前記面材において長さ方向などの端部に位置する裏面部には断面Ｖ字形の形状を有する溝が形成される、いわゆるＶカット加工が施され、前記溝において前記面材は裏面側に折り曲げ可能とされる。この折り曲げによって、前記面材の長さ方向の端縁部を前記枠体の長手方向の端縁部に収めることができ、前記建具用パネルにおける外側面となる端面を美麗に仕上げることができる。このような前記面材には、表面の平滑性やＶカット加工の適性に優れた、2mm〜5mm程度の厚さを有する薄物のMDF(Medium Density Fiberboard: 中密度繊維板)が用いられることが多い。
【０００５】
以上のとおりの木質材は、また、比較的安価で加工性もよいことから前記建具用パネルを形成する部材に広く適用されている。しかしながら、住宅などの内部において建具で区画された部屋間などに温度や湿度の差が生ずる場合、前記建具用パネルから形成された建具では、高温乾燥環境に接するまたはその環境に近い側から水分が放出しやすい。このため、前記高温乾燥環境に臨む面材が、低温常湿環境に接するまたはその環境に近い側に位置する面材に比べ、長さ方向に収縮しやすい。その結果、前記建具に反りが発生することがあるという問題がある。このような建具の反りは、特に冬場の暖房により誘引される。
【０００６】
前記問題を解決するために、前記建具用パネルの前記面材に貼り合わせる前記化粧シートの耐湿性を高めたり、前記面材の裏面に耐湿シートを貼り付けたりなどして、前記面材に含まれる水分の放出を抑制する対策が行われている。
【０００７】
前記対策の他、前記第１桟材に金属製の板材を複合化し、前記建具用パネルの曲げ剛性を高め、反りの発生を抑制するという対策も採られている（たとえば、特許文献１）。
【０００８】
特許文献１に記載された縦框では、薄板状の鉄板などから形成される補強プレートを、その厚さ方向の一方の面を２本一組の縦框材の一方の側面に突き当てた後、釘などの止着材を前記縦框材の端部側面に端面が突き当てられた横框材まで打ち込み、固定する。このように固定された補強プレートの厚さ方向の他方の面に他方の縦桟材の側面を重ね合わせ、２本の縦框材の端部における正面または背面のいずれか一方または両方にステープルを打ち込み、２本の縦框材を仮固定する。この仮固定後、２本の前記縦框材の端部における正面および背面に面材が接着剤によって接合・固定されて建具が形成される。
【先行技術文献】
【特許文献】
【０００９】
【特許文献１】特開２００７−１６５４６号号公報
【発明の概要】
【発明が解決しようとする課題】
【００１０】
確かに、特許文献１に記載された縦框は、前記補強プレートを２本の前記縦框材によってサンドイッチ状に挟み込むため、前記補強プレートが有する剛性によって長さ方向および長さ方向に直交する幅方向の曲げ強度が向上し、反りの発生が起こりにくくなってはいる。しかしながら、前記縦框の作製には、一方の前記縦框材への前記前記補強プレートの前記止着材による固定が必要であり、この固定に手間を要するという問題が指摘される。しかも、２本の前記縦框材は、各々の端部における正面または背面に前記ステープルが打ち込まれ、仮固定されるだけのため、枠体全体としてのハンドリングは今一つ良好とは言い切れない。前記枠体の作製後、直ちに前記面材を前記接着剤によって接合・固定する場合にはさほど問題と推測される。しかしながら、前記枠体を作り置きし、その後に前記面材を接合・固定する場合には、長さ方向の両端部のみでの前記ステープルによる仮固定だけでは、前記縦框において前記他方の縦框材が脱落する可能性が懸念される。
【００１１】
本発明は、以上のとおりの事情に鑑みてなされたものであり、建具として用いられる場合の反りを抑制することができるのに加え、作製が容易であり、かつ枠体のハンドリング性能が向上した建具用パネルとこれを用いた建具を提供することを課題としている。
【課題を解決するための手段】
【００１２】
前記課題を解決するために、本発明の建具用パネルは、外形が長方形形状である枠体と、この枠体の表裏両側に取り付けられ、前記枠体の外形と同一の外形形状を有する板状の面材とを備えた建具用パネルにおいて、前記枠体は、その長手方向に延びる２本一組の第１桟材と、前記枠体の短手方向の端縁に配置された２本一組の第２桟材とを備え、この第２桟材は、前記第１桟材の長さ方向の両端部のそれぞれに接続され、前記第１桟材は、第１木質材、第２木質材および金属製平板から形成され、前記金属製平板が前記第１木質材と前記第２木質材の間に挟まれ、前記第１木質材から前記第２木質材に架け渡すように貼り付けられる粘着テープによって前記第１木質材、前記金属製平板および前記第２木質材が固定されて一体となり、前記第１桟材が形成されていることを特徴とする。
【００１３】
また、本発明の建具は、前記建具用パネルを基材として有して形成されていることを特徴とする。
【発明の効果】
【００１４】
本発明の建具用パネルとこれを用いた建具によれば、反りを抑制することができるのに加え、作製が容易であり、かつ枠体のハンドリング性能が向上する。
【図面の簡単な説明】
【００１５】
【図１】本発明の建具用パネルの第１実施形態を示した分解斜視図である。
【図２】（ａ）は、図１に示した建具用パネルにおける第１桟材の正面図であり、（ｂ）は、（ａ）に示した第１桟材のＡ−Ａ矢視断面図であり、（ｃ）は、（ａ）に示した第１桟材の側面図である。
【図３】（ａ）は、本発明の建具用パネルの第２実施形態を示した断面図であり、（ｂ）は、（ａ）に示した建具用パネルにおける面材の一実施形態を示した分解断面図である。
【発明を実施するための形態】
【００１６】
図１は、本発明の建具用パネルの第１実施形態を示した分解斜視図である。図２（ａ）は、図１に示した建具用パネルにおける第１桟材の正面図であり、図２（ｂ）は、図２（ａ）に示した第１桟材のＡ−Ａ矢視断面図であり、図２（ｃ）は、図２（ａ）に示した第１桟材の側面図である。
【００１７】
図１および図２（ａ）（ｂ）（ｃ）に示したように、建具用パネル１は、外形が長方形形状である枠体２と、枠体２の表裏両側に取り付けられ、枠体２の外形と同一の外形形状を有する板状の面材３とを備えている。なお、本明細書で言及する「同一形状」とは、形状がまさに同一である場合はもちろん、面材３の大きさが、枠体２の四周端縁の少なくとも一つの端縁から10mm程度まで大きい場合も含む。
【００１８】
建具用パネル１において、枠体２は、その長手方向に延びる２本一組の第１桟材４と、枠体２の短手方向の端縁に配置された２本一組の第２桟材５とを備えている。第２桟材５は、第１桟材４の長さ方向の両端部４ａ、４ｂのそれぞれに接続されている。第１桟材４は、第１木質材６、第２木質材７および金属製平板８から形成されている。金属製平板８が第１木質材６と第２木質材７の間に挟まれ、第１木質材６から第２木質材７に架け渡すように貼り付けられる粘着テープ９によって第１木質材６、金属製平板８および第２木質材７が固定されて一体となり、第１桟材４が形成されている。
【００１９】
金属製平板８は、図２（ａ）に示したように、厚さｔの方向が、第１桟材４の長さ方向に直交する幅方向と一致させて第１桟材４に配置されていることが好ましい。また、粘着テープ９は、透水性を有することが好ましい。
【００２０】
より具体的には、図１に示したように、枠体２では、第１桟材４は、第２桟材５の長さ方向の両端部５ａ、５ｂよりも内側に配置されている。第２桟材５の第１桟材４の接続は、直接的または間接的に行うことができ、直接的な接続には適宜な接続具を用いることができ、たとえばステープル１０などが例示される。間接的な接続は、後述するような小割材１１とステープル１０の組み合わせによって実現することができる。
【００２１】
また、枠体２では、第２桟材５の両端部５ａ、５ｂは、その端面が、側面と突き合わされる第３桟材１２が、２本の第１桟材４の外側に１本ずつ設けられている。都合２本の第３桟材１２と第２桟材５によって、外形が長方形形状である枠体２が形成されている。第３桟材１２の上端部１２ａは、第２桟材５と正面および背面から打ち込まれるステープル１０によって接合され、第２桟材５と直接的に接続されている。第３桟材１２の下端部１２ｂは、小割材１１を介して間接的に第２桟材５に接続されている。このような第３桟材１２には、木質材を採用することができ、たとえば、LVLが例示される。
【００２２】
また、枠体２では、第３桟材１２の下端部１２ｂと間接的に接続される第２桟材５は、２本の木質材１３を積み重ねて形成されている。両木質材１３は、第２桟材５の両端部５ａ、５ｂおよび両端部５ａ、５ｂの間の中間部における適宜な部位（単数または複数カ所）において正面および背面から打ち込まれるステープル１０によって接合されている。木質材１３には、たとえば、LVLの他、PB、合板などが例示される。第３桟材１２の下端部１２ｂでは、第３桟材１２と第１桟材４の間に小割材１１が、第２桟材５において積み重ねられた側の木質材１３に積み重ねられて配置されている。小割材１１は、第３桟材１２の下端部１２ｂと、第１桟材４の下端部４ｂとにおいて第３桟材１２側に位置する木質材６との両方に、正面および背面から打ち込まれるステープル１０によって接合されている。こうして、第３桟材１２の下端部１２ｂは、小割材１１およびステープル１０を介して第２桟材５と間接的に接続されている。
【００２３】
また、枠体２では、第１桟材４の長さ方向の一端部４ａにおける第１木質材６の側面に小割材１１が、その側面において第１木質材６に突き合わされている。小割材１１の一端面が第２桟材５の裏面に突き合わされ、小割材１１は、前記一端面側において第２桟材５に、正面および背面から打ち込まれるステープル１０によって接合されている。また、小割材１１は、前記一端面と反対側に位置する他端面が、第１木質材６の側面と第３桟材１２の側面との間に配置された小割材１１と突き合わされ、正面および背面から打ち込まれるステープル１０によって第２桟材５に接合された小割材１１と接合されている。さらに、第１木質材６の側面と第３桟材１２の側面との間に配置された小割材１１は、第３桟材１２の側面および第１木質材６の側面と突き合わされ、第３桟材１２に、正面および背面から打ち込まれるステープル１０によって接合されている。その結果、枠体２では、第３桟材１２、第２桟材５および２本の小割材１１によって区画部１４が形成されている。区画部１４は、たとえば、建具用パネル１が内装ドアとして使用される場合のドアクローザーの一部を建具用パネル１の内部に収納する収納空間として利用することができる。
【００２４】
また、枠体２では、第１桟材４の長さ方向の両端部４ａ、４ｂの間の計３カ所に、第１木質材６および第３桟材１２の両側面に、両端面において突き合わされる小割材１１が設けられている。これらいずれの小割材１１も第１木質材６および第３桟材１２に、正面および背面から打ち込まれるステープル１０によって接合されており、その結果、第１桟材４は、枠体２において第２桟材５と間接的に接続されている。以上の小割材１１については、第２桟材５と同様に、LVL、PB、合板などが適用可能である。
【００２５】
また、枠体２では、その長手方向の中間部に、第１補助桟材１５が、第１桟材４における第１木質材６および第３桟材１２に、正面および背面から打ち込まれるステープル１０によって接合されている。第１補助桟材１５は、小割材１１と同様な木質材であり、LVL、PB、合板などが適用可能である。また、第１補助桟材１５は、第１木質材６および第３桟材１２の長さ方向に延びる一方、直近の２本の小割材１１の間に収まる程度の長さを有する部材である。また、第１補助桟材１５は、２本一組とされ、一方の側面において第１木質材６の側面および第３桟材１２の側面と突き合わされている。これらの第１補助桟材１５は、たとえば、建具用パネル１が内装ドアとして使用される場合の取っ手などの一部を建具用パネル１の内部に収納する場合の補強材などとして機能する。
【００２６】
そして、枠体２では、第１桟材４と第２桟材５によって囲まれる部分に、断面六角形形状を有する筒状のユニット１６が多数集合して形成されたハニカムコア１７が充填されている。より具体的には、第１桟材４と第２桟材５によって囲まれる部分は、第１桟材４の中央部に第２補強桟材１８が設けられている。第２補強材１８の両端面は、両第１桟材４における第２木質材７の側面に突き合わされ、第２補強材１８は、正面および背面から打ち込まれるステープル１０によって第２木質材７と接合されている。ハニカムコア１７は、第２補強材１８によって二分された領域の中に充填されている。このようなハニカムコア１７は、たとえば、ボール紙などから作製可能であり、この場合、ハニカムコア１７は吸放湿性を備え、建具用パネル１を建具として用いた場合、建具によって区画される部分の湿度調整が可能となる。調湿機能を有する建具が実現される。また、ハニカムコア１７によって、面材３の面強度が補強され、建具用パネル１の強度向上に寄与する。
【００２７】
このような建具用パネル１における第１桟材４は、図２（ａ）（ｂ）（ｃ）に示したように、金属製平板８が第１木質材６と第２木質材７の間に挟まれたサンドイッチ構造を有する部材である。金属製平板８の材質としては、錆の抑制、弾性率の向上、軽量化などを考慮して適宜なものを選定することができ、併せてコスト面を考慮すると、鉄が好ましく例示される。また、第１木質材６および第２木質材７の材質としては、LVL、PB、合板などが適用可能である。
【００２８】
第１桟材４では、前記のとおり、金属製平板８は、厚さｔの方向が第１木質材８の長さ方向に直交する幅方向と一致させて配置されているのが好ましい。その理由は、図１に示した建具用パネル１の曲げ剛性が、金属製平板８の厚さｔの3乗に比例して高まるからである。このような金属製平板８を有する第１桟材４を建具用壁パネル１の短手方向の両端部付近に配置することによって、建具用パネル１の前記反りの問題を有効に解消することができる。また、金属製平板８の長さは第１木質材６および第２木質材７の長さよりも少し短くし、第１桟材４の長さ方向の両端部４ａ、４ｂには金属製平板８が存在しないようにすることが好ましい。この場合、第１桟材４の両端部４ａ、４ｂにはステープル１０を適用することができ、第１桟材４の仮固定または本固定の補助として有効となる。
【００２９】
また、第１桟材４では、第１木質材６、第２木質材７および金属製平板８を固定し、一体化するために、粘着テープ９が用いられている。たとえば図２（ｃ）に示したように、第１桟材４を横に寝かせた状態で粘着テープ９を第１木質材６から第２木質材７に架け渡すようにして貼着することによって、第１木質材６、第２木質材７および金属製平板８を固定することができる。このとき、粘着テープ９の長さは、第１木質材６および第２木質材の厚さ方向の中央よりやや下側までとするのが好ましい。
【００３０】
この後に、第１桟材４を表裏逆転し、同じく横に寝かせた状態にして第１木質材６から第２木質材７に架け渡すようにして貼着する。このとき、最初の粘着テープ９の貼り位置に重ならないように粘着テープ９を貼るのが好ましい。こうすることによって、粘着テープ９が上下に重ならずにすみ、第１桟材４の幅方向の寸法が粘着テープ９によって拡大されるのを抑えることができる。また、粘着テープ９による固定カ所が2倍となり、固定強度の向上に有効となる。このときの粘着テープ９の長さも、最初に貼った粘着テープ９と同様に、第１木質材６および第２木質材の厚さ方向の中央よりやや下側までとするのが好ましい。こうして、第１木質材６、金属製平板８および第２木質材７の固定強度が、粘着テープ９を第１桟材４の外周を一周して貼り付けるのと同等程度の大きさとなる。
【００３１】
しかも、粘着テープ９の長さを前記のとおりに制限することによって、第１桟材４に要求される固定強度の実現が、表裏逆転という作業だけで容易に可能となる。なお、粘着テープ９は、その両端部が重ならないようにすれば、第１桟材４の外周を一周させて貼り付けてもかまわない。
【００３２】
このように、第１桟材４では、第１木質材６、金属製平板８および第２木質材７が、第１木質材６から第２木質材７に架け渡すように粘着テープ９を貼り付けることによって固定され、一体化される。粘着テープ９の使用は、第１木質材６および第２木質材７と金属製平板８との複合化を容易に実現し、第１桟材４が組み込まれた図１に示したような枠体２のハンドリング性能を向上させることができる。枠体２を作り置きし、その後に面材３を取り付ける際の枠体２のハンドリングが容易となる。
【００３３】
なお、ステープル１０によって固定する場合には、ステープル１０自体にも厚さがあるため、その厚さや、ステープラーの打痕圧力によるステープル１０の第１木質材６および第２木質材７へのめり込みを考慮する必要がある。すなわち、金属製平板８の厚さを薄くする必要がある。前記のとおり、建具用パネル１の曲げ剛性は、金属製平板８の厚さの3乗に比例することから、金属製平板８の薄形化は好ましくない。ただし、図２（ａ）に示したように、金属製平板８の長さを第１桟材４の両端部４ａ、４ｂには存在しないような長さにすると、曲げ剛性の低下を抑制することができ、しかも、ステープル１０によって、第１木質材６、金属製平板８および第２木質材７の固定強度の向上を図ることができる。
【００３４】
また、第１木質材６、金属製平板８および第２木質材７を接着剤を用いて固定することが考えられるかもしれないが、この場合、煩雑な接着工程を必要とするばかりか、接着ずれなどの発生が懸念される。万一金属製平板８と第１木質材６および第２木質材７との間に段差などが生じると、図１に示した面材３の取り付けに悪影響を及ぼす。面材３は、一般には、接着剤を用いて枠体２に固定される。したがって、面材３の接着による枠体２への固定にともない、金属製平板８は、第１木質材６および第２木質材７にしっかりと挟まれて固定されるため、粘着テープ９の使用による建具用パネル１の強度低下のおそれは軽減される。
【００３５】
粘着テープ９については、前記のとおり、透水性を有するものであることが好ましい。一般に、面材３と枠体２の接着に用いる前記接着剤は水系のものが多い。このため、粘着テープ９において粘着剤が設けられる基材としては、クラフト紙などのような透水性を有するものが好適である。透水性を有する場合には、前記基材に前記接着剤が浸み込み、前記基材も面材３と接着しやすくなり、粘着テープ９自体が面材３と枠体２の接着強度の向上に寄与することになる。
【００３６】
図１に示した面材３については、PB、MDFなどの木質板が、ハンドリング性能や加工性などの観点から好ましく例示される。面材３の厚さとしては、一般に、2mm〜3mm程度が例示される。
【００３７】
図３（ａ）は、本発明の建具用パネルの第２実施形態を示した断面図であり、図３（ｂ）は、（ａ）に示した建具用パネルにおける面材の一実施形態を示した分解断面図である。
【００３８】
なお、図３（ａ）（ｂ）に示した第２実施形態において、図１および図２（ａ）（ｂ）（ｃ）に示した第１実施形態における部位に相当する部位には、同一の符号を付し、以下ではその説明を省略する。
【００３９】
図３（ａ）（ｂ）に示した建具用パネル１９は、図１および図２（ａ）（ｂ）（ｃ）に示した建具用パネル１と、面材の大きさおよび構造ならびに第３桟材の形状において異なっている。
【００４０】
建具用パネル１９では、表裏両側の面材２０は、図３（ａ）に示したように、大きさが、枠体２の長手方向の両端縁から10mm程度まで大きいくなっている。面材２０の端縁部２１では、裏面側に前記のとおりのＶカット加工が施され、Ｖカット加工により形成された溝においてＬ字形に折り曲げられている。そして、枠体２における第３桟材１２では、枠体２の外周面を形成する側面部に凹部２３が、第３桟材１２の外側に向かって開放して形成されている。凹部２３は、面材２０の端縁部２１の折り曲げられた先端部２２を収める部位である。そして、建具用パネル１９では、表裏両側の面材２０の長さ方向の両端縁部２１が、第３桟材１２における枠体２の外周面を形成している側面部に巻き込まれ、先端部２２が凹部２３の内部に収められている。
【００４１】
また、面材２０は、図３（ｂ）に示したように、基材としてMDF２４を備えている。MDF２４の一方の面には、面材２０において表面を形成する、化粧が施され、耐湿性を有する化粧防湿シート２５が、酢酸ビニル系などの接着剤２６によって取り付けられている。化粧防湿シート２５が取り付けられた面と反対側に位置するMDF２４の他方の面には、面材２０において裏面を形成する、耐湿性を有する防湿シート２７が、同じく酢酸ビニル系などの接着剤２６によって取り付けられている。
【００４２】
図３（ａ）（ｂ）に示した建具用パネル１９は、枠体２の外周面の内の側面にも化粧が施されており、外観として美麗に仕上げられている。また、面材２０の表裏部はともに、化粧防湿シート１５および防湿シート２７によって耐湿性が向上としており、建具用パネル１９は、反りの発生がより抑制されたものとなっている。
【００４３】
前記のとおりの建具用パネル１、１９は、反りを抑制することができるのに加え、作製が容易であり、かつ枠体２のハンドリング性能が向上したものである。そして、開き戸、引き戸などの建具は、建具パネル１、１９を基材として有して形成される。たとえば、ドアクローザーや取っ手などを取り付けて建具が形成される。
【００４４】
なお、前記実施形態１および実施形態２では、第１桟材４は、枠体２の短手方向の両端部に配置されているが、本発明の建具用パネルとこれを用いた建具では、第１桟材４と第３桟材１２の位置を逆にすることも可能である。この場合、第１桟材４における第１木質材６の金属製平板８に面していない方の側面が、枠体２の外周面の内の側面を形成する。
【００４５】
本発明は、以上の実施形態に限定されることはない。枠体や面材の大きさ、第１桟材および第２桟材の長さ、第１木質材および第２木質材ならびに金属製平板の材質、枠体における第１桟材の配置位置、粘着テープの基材の材質、太さおよび貼り方、建具の種類などの細部については様々な対応が可能である。
【符号の説明】
【００４６】
１、１９  建具用パネル
２  枠体
３、２０  面材
４  第１桟材
４ａ、４ｂ  長さ方向の端部
５  第２桟材
６  第１木質材
７  第２木質材
８  金属製平板
ｔ  金属製平板の厚さ
９  粘着テープ
【図１】
2016166468.tif 000003
【図２】
2016166468.tif 000004
【図３】
2016166468.tif 000005